(57)【要約】【課題】洗浄水の上方への飛散や溢水を効率良く防止し、便器本体の上端開口の開口面積が側方へと拡大されることで男性小便用として尿を受け易くすると共に、無駄な材料を削減してコストダウンにも繋げることのできる水洗便器を提供する。【解決手段】上方に開口したボウル状の便器本体１の上端開口縁に内側へ突出したリム部２を一体に形成し、リム部２の下側で開口周方向に沿って洗浄水が流れる旋回路部３を設け、便器本体１の後部から前方に向け吐出される洗浄水が旋回路部３を流れる勢いで便器本体１の内面を伝って汚物を洗い流す水洗便器において、リム部２の突出度合を、便器本体１の側部１ａから前端部１ｂにかけ徐々に大きくしてこの前端部１ｂで最大とし、同側部１ａではほとんど突出しないようになした。【選択図】図２
2007308912.tif 000002
【特許請求の範囲】
【請求項１】
上方に開口したボウル状の便器本体の上端開口縁に内側へ突出したリム部を一体に形成し、リム部の下側で開口周方向に沿って洗浄水が流れる旋回路部を設け、便器本体の後部から前方に向け吐出される洗浄水が旋回路部を流れる勢いで便器本体の内面を伝って汚物を洗い流す水洗便器であり、リム部の突出度合を、便器本体の側部から前端部にかけ徐々に大きくしてこの前端部で最大とし、同側部ではほとんど突出しないようになした水洗便器。
【請求項２】
便器本体の上端開口縁にリム部を折曲板片状に形成し、リム部とその下方で対向する棚状部を便器本体の内面に突設し、リム部と棚状部との間を内方へ開放された溝状の旋回路部となしたことを特徴とする請求項１記載の水洗便器。
【発明の詳細な説明】
【技術分野】
【０００１】
本願発明は、上方に開口したボウル状の便器本体の上端開口縁に内側へ突出したリム部を一体に形成し、リム部の下側で開口周方向に沿って流れる洗浄水がその勢いで便器本体の内面を伝って汚物を洗い流す水洗便器に関するものである。
【背景技術】
【０００２】
従来から、図４に示すように、上方に開口したボウル状の便器本体１の上端開口縁に内側へ突出したリム部２を一体に形成し、リム部２の下側で開口周方向に沿って洗浄水が流れる旋回路部３を設け、便器本体１の後部に設けられる吐出口９から前方に向けて吐出される洗浄水が、旋回路部３を流れる勢いで便器本体１の内面を伝って汚物を洗い流す水洗便器は知られている（特許文献１：特開２００４−１１４１３号公報）。ここでは、便器本体１の上端開口縁にリム部２が折曲板片状に形成され、リム部２とその下方で対向する棚状部４が便器本体１の内面に突設されており、リム部２と棚状部４との間が内方へ開放された溝状の旋回路部３となっている。
【０００３】
したがって、この水洗便器においては、吐出口９から前方に向けて吐出される洗浄水が旋回路部３に沿って勢い良く流れ、その際、リム部２によって洗浄水の上方への飛散や溢水が防止されて、洗浄水は便器本体１の内面を勢い良く旋回しながら伝い流下して汚物を洗い流し、便器本体１の底部に設けられる排出口（図示せず）から除去される。また、この場合、旋回路部３は内方へ開放された溝状となっているので、その内部が汚れた際に清掃し易いものである。
【特許文献１】特開２００４−１１４１３号公報
【発明の開示】
【発明が解決しようとする課題】
【０００４】
しかしながら、上記従来例である水洗便器にあっては、リム部２が便器本体１の上端開口の全周にわたり同程度の突出度合で形成されている。そのため、便器本体１の上端開口の開口面積が全体的に小さくなり、男性小便用として尿を受け難くなる。また、リム部２の突出度合が必要以上に大きくなると、便器本体１に無駄な材料が使用されてコストアップにも繋がる。ところで、便器本体１の後部から前方に向け吐出される洗浄水は、便器本体１の前端部において旋回路部３内を流れる抵抗が最大となり、上方へと飛散や溢水し易いものであるが、便器本体１の側部においては、抵抗が小さく比較的スムーズに流れるものである。
【０００５】
本願発明は、上記背景技術に鑑みてなされたものであり、その課題は、洗浄水が旋回路部内を流れる際の抵抗に対応させてリム部の突出度合を最適とし、洗浄水の上方への飛散や溢水を効率良く防止して、便器本体の上端開口の開口面積が側方へと拡大されることで男性小便用として尿を受け易くすると共に、無駄な材料を削減してコストダウンにも繋げることのできる水洗便器を提供することである。
【課題を解決するための手段】
【０００６】
上記課題を解決するために、本願請求項１記載の発明は、上方に開口したボウル状の便器本体の上端開口縁に内側へ突出したリム部を一体に形成し、リム部の下側で開口周方向に沿って洗浄水が流れる旋回路部を設け、便器本体の後部から前方に向け吐出される洗浄水が旋回路部を流れる勢いで便器本体の内面を伝って汚物を洗い流す水洗便器であり、リム部の突出度合を、便器本体の側部から前端部にかけ徐々に大きくしてこの前端部で最大とし、同側部ではほとんど突出しないようになしたものである。
【０００７】
また、本願請求項２記載の発明は、前記水洗便器において、便器本体の上端開口縁にリム部を折曲板片状に形成し、リム部とその下方で対向する棚状部を便器本体の内面に突設し、リム部と棚状部との間を内方へ開放された溝状の旋回路部となしたことを特徴としている。
【発明の効果】
【０００８】
本願請求項１記載の発明である水洗便器においては、前方に向けて吐出される洗浄水が旋回路部に沿って勢い良く流れ、その際、リム部によって洗浄水の上方への飛散や溢水が防止されて、洗浄水は便器本体の内面を勢い良く旋回しながら伝い流下して汚物を洗い流すものである。
【０００９】
そして、リム部の突出度合が、便器本体の側部から前端部にかけ徐々に大きくなってこの前端部で最大となり、同側部ではほとんど突出しないので、洗浄水が旋回路部内を流れる際の抵抗に応じ適合してリム部の突出度合は最適となっており、洗浄水の上方への飛散や溢水が効率良く防止される。しかも、この場合、便器本体の上端開口の開口面積は側方へと拡大され、男性小便用として尿を受け易くなり、無駄な材料が削減されてコストダウンにも繋がるものである。
【００１０】
また、本願請求項２記載の発明である水洗便器においては、特に、リム部が折曲板片状に形成されてその材料は更に低減され、しかも、リム部とその下方で突設される棚状部との間が内方へ開放された溝状の旋回路部となるので、この旋回路部には洗浄水が規制されて沿い易くなり、洗浄水はスピードアップされて旋回の勢いが強化され、また、旋回路部の内部を清掃し易いものでもある。
【発明を実施するための最良の形態】
【００１１】
図１〜３は、本願の請求項１、２全てに対応した一実施形態を示している。この実施形態の水洗便器は、上方に開口したボウル状の便器本体１の上端開口縁に内側へ突出したリム部２を一体に形成し、リム部２の下側で開口周方向に沿って洗浄水が流れる旋回路部３を設け、便器本体１の後部から前方に向け吐出される洗浄水が旋回路部３を流れる勢いで便器本体１の内面を伝って汚物を洗い流すものである。そして、この場合、リム部２の突出度合を、便器本体１の側部１ａから前端部１ｂにかけ徐々に大きくしてこの前端部１ｂで最大とし、同側部１ａではほとんど突出しないようになしている。
【００１２】
また、この実施形態の水洗便器では、便器本体１の上端開口縁にリム部２を折曲板片状に形成し、リム部２とその下方で対向する棚状部４を便器本体１の内面に突設し、リム部２と棚状部４との間を内方へ開放された溝状の旋回路部３となしている。
【００１３】
以下、この実施形態の水洗便器をより具体的詳細に説明する。この実施形態の水洗便器は、図１に示すように、着座して使用することができる洋式便器である。便器本体１は上方に開口したボウル状であり、陶器或いはアクリル樹脂等の合成樹脂にて形成され、トイレルームの床面に設置固定されるものである。便器本体１の後端部上には局部洗浄装置５が設置され、この局部洗浄装置５には暖房式の便座６及び便蓋７が回動自在に支持されており、便座６及び便蓋７は必要に応じて便器本体１の上端開口上に載置される。
【００１４】
便座６の裏面にはその前端及び後端付近の左右両側にゴム等でなる緩衝脚８が配設されており、便座６は同緩衝脚８を介して便器本体１の上端開口上に載置される。その際、緩衝脚８は、便器本体１の上端開口縁から比較的大きく突出されたリム部２上に当接支持される。また、便器本体１のボウル内にはその後部から、前記局部洗浄装置５のノズル（図示せず）が進退自在に突設されており、このノズルから噴出される温水によって、便座本体１上に載置される便座６に着座した人体の局部を洗浄することができる。
【００１５】
便器本体１のボウル内の後部片側には吐出口９が設けられており、洗浄水はこの吐出口９から前方に向けて吐出（Ａ）され、旋回路部３に沿い旋回して流された後、その勢いを維持し渦巻き流（Ｂ）となって便器本体１の内面を伝い流下して汚物を洗い流し、便器本体１の底部に設けられる排出口（図示せず）から汚物と共に除去される。なお、便器本体１のボウル内を洗浄する洗浄水は、水道水がその圧力で吐出されてもよく、別途タンクに溜められた水がポンプ圧によって吐出されてもよい。
【００１６】
図２に示すように、便器本体１の上端開口は、その前側が略円弧状に形成され、その後側は略直線状に形成されている。そして、便器本体１の上端開口縁には、その前側及び後側に内側へ突出したリム部２が一体に形成されており、便器本体１の両側部１ａにはリム部２が形成されていない。この場合、リム部２の突出度合は、便器本体１の両側部１ａから前端部１ｂにかけ徐々に大きくなってこの前端部１ｂで最大となり、同両側部１ａでは突出しないようになっている。
【００１７】
すなわち、図３（ａ）に示すように、便器本体１の側部１ａではリム部２が突設されておらず、図３（ｂ）に示すように、便器本体１の前端部１ｂではリム部２が最大の突出量で突設されている。なお、図３（ａ）に二点鎖線で示すように、便器本体１の側部１ａでは、リム部２が若干の突出量で突設されてもよい。また、便器本体１の上端開口縁にリム部２は折曲板片状に形成されており、リム部２とその下方で対向する棚状部４が便器本体１の内面に突設され、リム部２と棚状部４との間が内方へ開放された溝状の旋回路部３となっている。
【００１８】
洗浄水は溝状の旋回路部３にガイドされて旋回するものであり、その際、図３（ａ）に示すように、便器本体１の側部１ａでは、洗浄水の流れる抵抗が小さくて洗浄水は上方へ飛散や溢水し難く、そのため、リム部２の突出量は小さくてもよい。しかしながら、図３（ｂ）に示すように、便器本体１の前端部１ｂでは、洗浄水の流れる抵抗が大きくて洗浄水は上方へ飛散や溢水し易くなり、これを防止するために、リム部２の突出量を大きくしている。便器本体１の前端部１ｂにおいては、側部１ａよりも周壁が外側へと大きく傾倒しており、洗浄水はより上方へ飛散や溢水し易いものであるが、大きく突出したリム部２がこれをも防止している。
【００１９】
また、この場合、リム部２の内側先端下側及び棚状部４の内外両端付近がＲ形状に形成されており、洗浄水はリム部２の内側先端から垂れ落ち難く、旋回路部３から棚状部４を伝ってスムーズに便器本体１の内面下方へと流下されるものである。そのため、旋回路部３内には汚れが付着し難く、汚れたとしても容易に清掃することができる。なお、図３に二点鎖線で示すように、便器本体１の棚状部４の下側で厚肉となる部位を中空状に形成してもよく、そうすることにより、更なる材料削減や軽量化が図られる。
【００２０】
したがって、この実施形態の水洗便器においては、吐出口９から前方に向けて吐出される洗浄水が旋回路部３に沿って勢い良く流れ、その際、リム部２によって洗浄水の上方への飛散や溢水が防止されて、洗浄水は便器本体１の内面を勢い良く旋回しながら伝い流下して汚物を洗い流すものである。
【００２１】
そして、リム部２の突出度合が、便器本体１の両側部１ａから前端部１ｂにかけ徐々に大きくなってこの前端部１ｂで最大となり、同両側部１ａでは突出しないので、洗浄水が旋回路部３内を流れる際の抵抗に応じ適合して、リム部２の突出度合は不必要に大きくならず最適となっており、洗浄水の上方への飛散や溢水が効率良く防止される。しかも、この場合、便器本体１の上端開口の開口面積は中程から後側で両側方へと拡大されて、男性小便用として尿を受け易くなり、無駄な材料が削減されてコストダウンにも繋がるものである。
【００２２】
また、この実施形態の水洗便器においては、リム部２が折曲板片状に形成されてその材料は更に低減されている。しかも、リム部２とその下方で突設される棚状部４との間が内方へ開放された溝状の旋回路部３となっており、そのため、この旋回路部３には洗浄水がガイド規制されて沿い易くなり、洗浄水はスピードアップされてその旋回の勢いが強化され、旋回路部３の内部を容易に清掃することもできる。
【図面の簡単な説明】
【００２３】
【図１】本願発明の一実施形態である水洗便器を示す斜視図。
【図２】同水洗便器の便器本体を示す平面図。
【図３】（ａ）は図２におけるＸ−Ｘ断面図、（ｂ）は図２におけるＹ−Ｙ断面図。
【図４】従来例である水洗便器を示す要部斜視図。
【符号の説明】
【００２４】
１  便器本体
１ａ  側部
１ｂ  前端部
２  リム部
３  旋回路部
４  棚状部
【図１】
2007308912.tif 000003
【図２】
2007308912.tif 000004
【図３】
2007308912.tif 000005
【図４】
2007308912.tif 000006